(57)【要約】【課題】  連続して画像を形成する記録シートの間に合い紙を挟み込む合い紙モードにおいて、トータルの印刷ジョブ時間を短縮することができる画像形成装置を提供する。【解決手段】  ＯＨＰシートなどの記録シートを収容する第１の給紙部、および合い紙を収容する第２の給紙部と、記録部および定着部を有する画像形成部と、給紙部からの用紙を記録部に搬送する用紙搬送部と、定着部の温度を検出する定着温度センサからの検出温度に基づいて前記画像形成部及び用紙搬送部を制御する制御部とを備え、記録シートと合い紙とを重ねて排紙部に排出する合い紙モードのとき、制御部は、定着部の温度が所定の温度に達するまでの間に、前記合い紙を記録部の搬送方向で上流側に位置するレジスト部前まで予め搬送して待機させ、定着部が所定温度に達したとき、記録シートと合い紙とを重ねて記録部に搬送して画像形成するよう制御する。【選択図】  図９
2010281879.tif 000002
【特許請求の範囲】
【請求項１】
合い紙を収納する第１の給紙部、および記録シートを収納する第２の給紙部と、記録部および定着部を有する画像形成部と、給紙部からの用紙を記録部に搬送する用紙搬送部と、画像形成後の記録シートおよび合い紙を排出する排紙部と、定着部の温度を検出する定着温度センサからの検出温度に基づいて前記画像形成部及び用紙搬送部を制御する制御部とを備え、記録シートと合い紙とを重ねて排紙部に排出する合い紙モードのとき、前記制御部は、定着部の温度が所定の温度に達するまでの間に、前記合い紙を記録部の搬送方向で上流側に位置するレジスト部前まで予め搬送させて待機させ、定着部の定着温度が所定温度に達したとき、前記記録シートと合い紙とを重ねて記録部に向けて搬送して画像形成するよう制御することを特徴とする画像形成装置。
【請求項２】
前記用紙搬送部には、用紙裏面にも画像形成するために記録部を通過した記録シートを記録部の上流側に搬送させる用紙反転搬送路を備え、前記合い紙モードのとき、制御部は、前記合い紙を一旦記録部を通過させた後、用紙反転搬送路を経由して記録部の搬送方向で上流側に位置するレジスト部前に待機させることを特徴とする請求項１に記載の画像形成装置。
【請求項３】
前記記録シートに画像を転写記録するために、前記記録シートに帯電を行う帯電部が前記記録部に設けられ、前記記録部に記録シートと合い紙とを重ねて通紙するとき、制御部は、合い紙に対しても帯電を行うよう前記帯電部を制御することを特徴とする請求項１または２に記載の画像形成装置
【請求項４】
前記記録部に記録シートおよび合い紙に帯電を行う帯電部を備え、合い紙モードにおいて、前記合い紙を用紙反転搬送路を経由してレジスト部前に待機させるために、一旦、前記記録部を通紙させるとき、制御部は、記録部で合い紙への帯電を防止するために前記帯電部をＯＦＦするよう制御することを特徴とする請求項２に記載の画像形成装置
【請求項５】
定着部は、定着部材と加圧部材と、定着部材と加圧部材との圧力を調整する圧力調整部とを備え、合い紙モードにおいて、制御部は、定着部材への加圧部材の加圧力を重ね合わせた合い紙の種類に応じて調整するよう、定着部の圧力調整部を駆動制御することを特徴とする請求項１〜４のいずれかに記載の画像形成装置
【請求項６】
合い紙の種類は、合い紙の厚みにより区別することを特徴とする請求項５に記載の画像形成装置。
【請求項７】
制御部では、紙厚の厚い合い紙が通過するとき、紙厚の薄いものが通過するときよりも加圧部材の加圧力が大きくなるよう圧力調整部を制御することを特徴とする請求項６に記載の画像形成装置。
【請求項８】
表示部を備え、該表示部は、合い紙の種類を設定する表示画面を備えることを特徴とする請求項５または６に記載の画像形成装置。
【請求項９】
合い紙は普通紙が用いられることを特徴とする請求項１〜８のいずれかに記載の画像形成装置。
【請求項１０】
記録シートがＯＨＰシートであることを特徴とする請求項１に記載の画像形成装置。
【発明の詳細な説明】
【技術分野】
【０００１】
本発明は、複写機、ファクシミリ、プリンタ等の画像形成装置に関するものである。
【背景技術】
【０００２】
オーバーヘッドプロジェクタ（ＯＨＰ）に使用されるＯＨＰシートに画像を記録する方法として、電子写真プロセスによる複写機、ファクシミリ、プリンタ等の画像形成装置を用いる方法が知られている。この種の画像形成装置においては、複数のＯＨＰシートに対して連続的に画像を記録する場合、記録を終えた各ＯＨＰシートの間に合い紙を挟み込み、ＯＨＰシートに記録された画像（トナー像）が、他のＯＨＰシートに「裏写り」しないようにしている。
【０００３】
特許文献１には、同じ給紙トレイ上のＯＨＰ用紙と合い紙（普通紙）とを交互に重ねたＯＨＰ積層体を給紙トレイにセットしＯＨＰシートに記録する場合、ＯＨＰシートと合い紙を入れ替えて、重ねた状態で搬送して記録部で記録する画像形成装置が開示されている。
【０００４】
特許文献２には、ＯＨＰシートへの記録時に合い紙の挟み作業を平行して行わせるために、給紙トレイの合い紙を、ＯＨＰシートが搬送される経路とは少なくとも定着部までは別経路を通り、合い紙をＯＨＰシートよりも先回りして排紙トレイに排出させ、これによりスタック性を良好にし、効率の良いＯＨＰシートへの連続記録を可能とした画像形成装置が開示されている。
【先行技術文献】
【特許文献】
【０００５】
【特許文献１】特開平０１−２０３１６５号公報
【特許文献２】特開平０９−３４１９２号公報
【発明の概要】
【発明が解決しようとする課題】
【０００６】
ところで、画像形成装置において、ＯＨＰシートに画像（トナー像）を記録して定着するＯＨＰモードの場合、ＯＨＰシートのトナー定着性を確保するために、定着温度を、普通紙に画像（トナー像）を記録して定着する普通紙モードよりも高く設定する必要がある。
【０００７】
そのため、ＯＨＰモードが選択されると、定着ローラがＯＨＰシートの定着温度に達するために時間を必要としていた。そのため、ＯＨＰモードにおけるトータルのジョブに掛かる時間が長くなっていた。
【０００８】
特に、ＯＨＰシートに画像を記録して定着させるＯＨＰモードに限らず、ＯＨＰシートを含む記録シートと、合い紙とを重ねて排紙する合い紙モードにおいては、合い紙の給紙タイミングについて開示された先行技術文献はなく、画像形成に関与しない合い紙の給紙タイミングを早くして、トータルの印刷ジョブに掛かる時間をいかに短縮するかが一つの課題となっていた。
【０００９】
本発明は、上記に鑑み、合い紙モードにおける定着温度に着目して、合い紙の用紙搬送タイミングを早くして、合い紙モードにおけるトータルの印刷ジョブ時間の短縮を図り得る画像形成装置の提供を目的としている。
【課題を解決するための手段】
【００１０】
上記目的を達成するために、本発明は、合い紙を収納する第１の給紙部、および記録シートを収納する第２の給紙部と、記録部および定着部を有する画像形成部と、給紙部からの用紙を記録部に搬送する用紙搬送部と、画像形成後の記録シートおよび合い紙を排出する排紙部と、定着部の温度を検出する定着温度センサからの検出温度に基づいて前記画像形成部及び用紙搬送部を制御する制御部とを備え、記録シートと合い紙とを重ねて排紙部に排出する合い紙モードのとき、前記制御部は、定着部の温度が所定の温度に達するまでの間に、前記合い紙を記録部の搬送方向で上流側に位置するレジスト部前まで予め搬送させて待機させ、定着部の定着温度が所定温度に達したとき、前記記録シートと合い紙とを重ねて記録部に向けて搬送して画像形成するよう制御することを特徴としている。
【００１１】
上記構成によると、別々の給紙部に収納されている記録シートと合い紙を重ねて記録部に向けて搬送し、記録シートに画像を形成する合い紙モードのとき、定着部の定着温度が所定の温度に達するまで、印刷に関与しない合い紙を先にレジスト部前まで搬送しておき、所定温度に達したら、記録シートと合い紙とを同時に搬送させることで、印刷ジョブの時間短縮を実現することができる。
【００１２】
記録シートは、ＯＨＰシートのみならず、他の記録シートであってもよい。要するに、合い紙を重ねて排紙するすべて記録シートに適用することができる。特に、記録する画像が他の記録シートに裏写りする可能性があるものに好適に適用することができる。例えば、光沢のある記録シートやＯＨＰシートが挙げられる。
【００１３】
両面に画像形成可能な画像形成装置においては、用紙搬送部に、用紙裏面にも画像形成するために記録部を通過した記録シートを記録部の上流側に搬送させる用紙反転搬送路を備え、前記合い紙モードのとき、制御部は、前記合い紙を一旦記録部を通過させて用紙反転搬送路を経由してレジスト部前に待機させることができる。
【００１４】
上記構成によると、合い紙モードのとき、定着部が、例えばＯＨＰシート（記録シート）の定着温度に達するまでの間に、合い紙を一旦記録部を通過させた後、用紙反転搬送路を経由してレジスト部前に待機させ、定着部がＯＨＰシート（記録シート）の定着温度に達したら、ＯＨＰシート（記録シート）と合い紙とを重ねて記録部に向けて搬送し、ＯＨＰシート（記録シート）に画像形成することにより、トータルの印刷ジョブ時間を短縮させることができる。
【００１５】
前記記録シートに画像を転写記録するために、前記記録シートに帯電を行う帯電部が前記記録部に設けられ、前記記録部に記録シートと合い紙とを重ねて通紙するとき、制御部は、合い紙に対しても帯電を行うよう前記帯電部を制御する。
【００１６】
これにより、合い紙とＯＨＰシート（記録シート）を重ねて搬送する際に、合い紙にも帯電させることで、ＯＨＰシート（記録シート）への吸着力をアップさせることができ、合い紙とＯＨＰシート（記録シート）を重ねて搬送する搬送性能を向上させることができる。
【００１７】
また、前記記録部に記録シートおよび合い紙に帯電を行う帯電部を備え、合い紙モードにおいて、前記合い紙を用紙反転搬送路を経由してレジスト部前に待機させるため、一旦記録部を通紙させるとき、制御部は、記録部で合い紙への帯電を防止するために帯電部をＯＦＦするよう制御することができる。
【００１８】
上記構成によると、合い紙のみの通紙時は帯電量を抑えることによって、合い紙へのトナーによる汚損を低減させ、重ねて搬送するＯＨＰシート（記録シート）の汚れを防止することができる。
【００１９】
また、合い紙モードにおいて、記録シートと合い紙とを同時に搬送して記録・定着させるために、定着部では以下の構成にすることができる。すなわち、定着部は、定着部材と加圧部材と、定着部材と加圧部材との圧力を調整する圧力調整部とを備え、合い紙モードにおいて、制御部は、定着部材への加圧部材の加圧力を重ね合わせた合い紙の種類に応じて調整するよう、定着部の圧力調整部を駆動制御する。
【００２０】
上記構成によると、定着部の加圧力を最適化することにより、定着性能を向上すると共に、ＯＨＰシート（記録シート）および合い紙へのダメージを抑えることができる。
【００２１】
ここで、合い紙の種類とは、合い紙の厚さにより区別することができる。たとえば、「薄紙」「普通紙」「厚紙」の区別である。「普通紙」は、画像形成装置において、通常用いられる転写紙をいう。薄紙は普通紙よりも薄いもの、厚紙は普通紙よりも厚いものをいう。合い紙として普通紙を用いると、合い紙用の専用用紙を使用する必要が無く、また、定型紙であれば、給紙部にセットされた用紙を任意に選択することができる。
【００２２】
制御部では、合い紙の厚い方が薄いものよりも加圧力を大きく設定することができる。これにより、ＯＨＰシート（記録シート）と合い紙を重ねた状態で、ＯＨＰシート（記録シート）上のトナーを定着させるには、厚い方が、薄いものよりも加圧力を大きくすることで、ＯＨＰシートのトナー定着性を良好にすることができる。
【００２３】
合い紙の種類の設定は、画像形成装置の操作表示部で行う。操作表示部には、表示部を備え、表示部は合い紙の種類を設定する表示画面を備える。タッチパネル方式の表示画面により合い紙の種類を設定することで、制御部では、その設定信号を受けて、合い紙の種類に応じた定着部の圧力調整を行うことができる。
【発明の効果】
【００２４】
以上のとおり、本発明では、別々のトレイ上に収納されている記録シートと合い紙を重ねて記録部に向けて搬送し、記録シートに画像形成する合い紙モードのとき、定着部
の定着温度が所定の温度に達するまで、印刷に関与しない合い紙を先にレジスト部前まで搬送しておき、所定温度に達したら、記録シートと合い紙とを同時に搬送させることで、印刷ジョブの時間短縮を実現することができる。つまり、合い紙モードにおけるファーストコピーを早くすることができる。
【図面の簡単な説明】
【００２５】
【図１】本発明の画像形成装置の概略構成図である。
【図２】操作表示部の平面図である。
【図３】画像形成装置の主要部の制御ブロック図である。
【図４】表示部におけるコピーモードの選択表示画面を示す図である。
【図５】表示部におけるＯＨＰモードの選択表示画面を示す図である。
【図６】合い紙の種類を選択する表示画面を示す図である。
【図７】合い紙モードにおけるＯＨＰシートと合い紙との排紙状態を示す図である。
【図８】圧力調整部を有する定着部の側面図である。
【図９】合い紙モードの制御フローチャートである。
【図１０】ＯＨＰモードにおける従来と本発明のトータルジョブ時間を比較した図である。
【図１１】合い紙モードにおける合い紙位置とＯＨＰシート位置を示す画像形成装置の概略図であって、合い紙（普通紙）が記録部へ通紙され、かつＯＨＰシートが手差しトレイに載置された状態を示す。
【図１２】合い紙モードにおいて、普通紙（合い紙）が定着部よりも排紙側から用紙反転搬送路に戻る状態を示す画像形成装置の概略図である。
【図１３】合い紙モードにおいて、普通紙（合い紙）が用紙反転搬送路を経由してレジストローラ前に待機した状態を示す画像形成装置の概略図である。
【図１４】合い紙モードにおいて、普通紙（合い紙）がレジストローラ前に待機した状態でＯＨＰシート（記録シート）がレジストローラ前まで搬送された状態を示す画像形成装置の概略図である。
【図１５】合い紙モードにおいて、普通紙（合い紙）とＯＨＰシート（記録シート）が同時に記録部に搬送された状態を示す画像形成装置の概略図である。
【発明を実施するための形態】
【００２６】
以下、本発明の実施形態を図面に基づいて説明する。本実施形態の画像形成装置は、図１に示すように、原稿読取部１００、画像形成装置本体２００、後処理装置３００、および用紙スタック部４００を備えている。
【００２７】
前記原稿読取部１００は、上面に透明なガラス等からなる原稿台１０１を有している。この原稿台１０１の方には、該原稿台１０１に載置された原稿（図示せず）を光学的に読み取るためのスキャナ光学系１１１が配されている。
【００２８】
前記スキャナ光学系１１１は、前記原稿台１０１上に載置された原稿（図示せず）に光を照射するための露光用光源１１２と、該原稿で反射された光を受光する光電変換素子（ＣＣＤ（Charge Coupled Device)）１１５とを備えている。そして、露光用光源１１２と光電変換素子１１５との間には、原稿で反射した光を前記光電変換素子１１５に導くための複数の反射鏡１１３と、該反射鏡１１３により導かれた光を前記光電変換素子１１５上に結像させるための結像レンズ１１４とが配置されている。
【００２９】
前記光電変換素子１１５からの出力信号、すなわち、原稿画像データは、画像処理が施された後、前記画像形成装置本体２００に備えられたＬＳＵ（レーザスキャニングユニット）２０１に送出されるようになっている。
【００３０】
前記画像形成装置本体２００は、大きく分けて、転写紙Ｐを収容する給紙部と、転写紙に画像を形成（印字）するための画像形成部２１０と、転写紙Ｐを画像形成部２１０に搬送するための用紙搬送部２２０とを備えている。
【００３１】
給紙部は、転写紙Ｐをストックして転写紙Ｐを給紙するための用紙カセット２２１と、画像形成装置本体２００の側面から転写紙Ｐを給紙するための手差しトレイ２２２とを備えている。
【００３２】
前記画像形成部２１０は、前記ＬＳＵ２０１と、該ＬＳＵ２０１からのレーザ光が表面に照射されることにより静電潜像が形成される感光体２１１とを有している。感光体２１１は、矢印方向に回転駆動されるドラム形状をなしており、この感光体２１１の周囲には、前記ＬＳＵ２０１からのレーザ光の照射ポイントから該感光体２１１の回転方向に向かって、現像装置２１２、転写チャージャ２１３、除電器２１４、および主帯電器２１５が順次配置されている。
【００３３】
前記現像装置２１２は、レーザ光により露光された感光体２１１表面の静電潜像をトナーにより可視像（トナー像）に現像する。前記転写チャージャ２１３は、転写紙Ｐを帯電させて感光体２１１上のトナー像を転写紙Ｐに転写記録させる記録部の帯電部を構成する。
【００３４】
除電器２１４は、トナー像の転写後の感光体２１１上に残留している電荷を除去する。前記主帯電器２１５は、残留電荷が除去された感光体２１１の表面を所定の電位に帯電させる。さらに、図示しないが、転写チャージャ２１３と除電器２１４との間には、トナー像の転写後の感光体２１１上に残留しているトナーを除去するためのクリーニング装置が設けられている。
【００３５】
前記ＬＳＵ２０１は、上述した原稿読取部１００にて読み取られた原稿の画像データに限定されず、外部に接続されたコンピュータ（図示せず）等の外部機器からの画像情報や、通信により送られるＦＡＸ情報に基づいて、レーザを感光体２１１に照射するようにもなっている。
【００３６】
したがって、本画像形成装置は、原稿読取部１００により原稿画像を読み取って用紙に画像を形成する複写機能と、通信によるＦＡＸ情報に基づいて用紙に画像を形成するＦＡＸ機能と、コンピュータ等の外部機器からの画像情報に基づいて用紙に画像を形成するプリント機能とを有する複合機となっている。
【００３７】
また、本画像形成装置においては、ＯＨＰシートなどの記録シートに画像形成することができる。この場合、ＯＨＰシートなどの記録シートに対して連続的に画像を記録することができる。このようなＯＨＰモードにおいては、記録を終えた各ＯＨＰシート（記録シート）の間に合い紙を挿入して、ＯＨＰシート（記録シート）に記録された画像（トナー像）が、他のＯＨＰシート（記録シート）に「裏写り」しないようにする合い紙モードを実行することができる。
【００３８】
この合い紙モードのときには、用紙カセット２２１および手差しトレイ２２２を記録シートおよび合い紙の給紙部として利用する。手差しトレイ２２２は、ＯＨＰシートなどの記録シートを積層して載置する第１の給紙部を構成する。用紙カセット２２１は、転写紙Ｐに代わり、合い紙を収容する第２の給紙部を構成する。
【００３９】
合い紙は、「薄紙」、「普通紙」、「厚紙」を用いることができる。普通紙は、通常、転写紙として使用されるものをそのまま使用することができる。これにより、合い紙専用の用紙を使用する必要がなく、また、定型紙であれば、用紙カセット２２１にセットされた用紙を任意に選択することができる。
【００４０】
薄紙は普通紙よりも紙厚の薄いものをいい、厚紙は普通紙よりも紙厚の厚いものをいう。薄紙、普通紙および厚紙のうち、いずれかの厚さの合い紙が用紙カセット２２１に収容される。
【００４１】
なお、通常の画像形成モードでは、転写紙が用いられるので、以下の説明においては特に断わりのない限り「転写紙」の用語を用いた画像形成装置の説明を行なう。
【００４２】
前記用紙カセット２２１の転写紙Ｐ送り側の先端部には、該用紙カセット２２１に収容されている転写紙Ｐを給紙するための呼び込みローラ２２３と、図示しないが、収容された転写紙Ｐを一枚ずつ確実に送り出すことができるように、ローラと摩擦シート部材あるいは逆転ローラ等からなる用紙さばき部とが配置されている。
【００４３】
呼び込みローラ２２３の転写紙Ｐ搬送方向下流側には、画像形成部２１０における画像形成位置に転写紙Ｐを導くための送り出し用のピックアップローラ２２４と、第２給紙路２２５とが設けられている。
【００４４】
一方、前記手差しトレイ２２２の転写紙Ｐ送り側の先端部には、該手差しトレイ２２２上の転写紙Ｐを給紙するための呼び込みローラ２２６と、該転写紙Ｐを画像形成部２１０における画像形成位置に導くための送り出し用のピックアップローラ２２７と、第１給紙路２２８とが設けられている。
【００４５】
前記画像形成部２１０の画像形成位置の手前には、前記第１給紙路２２８および／または第２給紙路２２５から給送された転写紙Ｐを所定のタイミングで感光体２１１のトナー像の転写位置（画像形成位置）に搬送するためのレジスト部２２９が設けられている。レジスト部２２９はレジストローラが用いられているが、これに限らず爪形状であってもよい。
【００４６】
前記レジスト部２２９は、第１給紙路２２８および第２給紙路２２５に設けられた図示しないレジスト前検知スイッチ（用紙検知スイッチ）により、該第１給紙路２２８あるいは第２給紙路２２５の何れかを転写紙Ｐが通過したことを示す検知信号に基づいて、前記感光体２１１上のトナー像と転写紙Ｐとの位置合わせを行なうよう駆動される。
【００４７】
本例における合い紙モードでは、用紙カセット２２１から給送された合い紙を一旦記録部を通過させた後、用紙反転搬送路２３７を経由して記録部の搬送方向で上流側に位置するレジストローラ前に待機させ、定着部の定着温度が所定温度に達したとき、第１給紙部のＯＨＰシート（記録シート）をレジストローラ前まで搬送し、ＯＨＰシートと合い紙とを重ねて記録部に向けて搬送して画像形成する。
【００４８】
したがって、合い紙モードにおいては、第２給紙部側の用紙検知スイッチにより、合い紙の通過を検知し、また、第１給紙部側の用紙検知スイッチにより、ＯＨＰシート（記録シート）の通過を検知している。さらに、反転搬送路２３７を経由してレジストローラ前に待機させた合い紙を反転搬送路２３７に設けられた用紙検知センサによって検知する。
【００４９】
なお、合い紙モードにおいて、合い紙を一旦記録部を通過させて反転搬送路２３７に導くとき、表面に静電潜像が形成されていない感光体を回転駆動させるか、あるいは、感光体を回転駆動することなく、合い紙を通過させる。
【００５０】
感光体２１１上のトナー像は、転写位置（画像形成位置）で転写紙Ｐに転写される。この転写位置における感光体２１１および転写チャージャ２１３（帯電部）が記録部を構成する。記録部では、転写紙Ｐに帯電させる転写チャージャ２１３を有し、後述するように、ＯＨＰシートや合い紙にも帯電させたり、あるいは、合い紙モードにおいて、合い紙を定着部２３０の温度が所定の温度に達する前に通過させるとき、合い紙への帯電を抑制するよう転写チャージャをＯＦＦする。
【００５１】
記録部の該転写紙Ｐ搬送方向下流側には、転写紙Ｐ上に転写されたトナー像を熱により定着させるための定着部２３０が設けられる。
【００５２】
図８は圧力調整部を有する定着部の側面図である。定着部２３０は、図８に示すように、定着部材としての定着ローラ２３と加圧部材としての加圧ローラ２４と、定着部材と加圧部材との圧力を調整する圧力調整部２５とを備えている。
【００５３】
定着ローラ２３は、内部にヒータ２６が内蔵され、定着温度を所定の定着温度まで加熱できるようになっている。通常の画像形成モードでは、普通紙の定着温度が１８０〜１９０度である。合い紙モードでは、ＯＨＰシートの定着温度が２００〜２１０度である。したがって、定着ローラ２３に内蔵のヒータ２６は、定着温度を少なくとも２段階に切換えできるようになっている。この定着ローラ２３の温度は、定着温度センサ２７により検出され、定着温度センサ２７からの信号に基づいて定着ヒータ２６の温度制御や合い紙モードにおける画像形成部や用紙搬送部の駆動制御が行われる。
【００５４】
加圧ローラ２４は定着ローラ２３に対面する。加圧ローラ２４は、圧力調整部２５により定着ローラ２３への加圧力が調整される。圧力調整部２５は、加圧ローラ２４を揺動自在に支持する調整レバー２８と、該調整レバー２８を揺動自在に駆動する駆動部２９とを備えている。調整レバー２８は、中央部に加圧ローラ２４のローラ軸２４ａが支持され、レバーの一端側に形成された支点２８ａを中心に揺動自在とされる。
【００５５】
駆動部２９は、前記調整レバー２８の他端部の下面に当接して回転する楕円状の偏心カム３０と、該偏心カム３０を回転駆動する駆動モータ３１と、該駆動モータの駆動力を偏心カム３０に伝達するギヤ列３２，３３とか構成される。偏心カム３０と同軸には伝動ギヤ３２が支持され、駆動モータ３１の軸に固定されたギヤ３３と噛み合っている。偏心カム３０は、合い紙モードにおいて、定着ローラ２３への加圧ローラ２４の加圧力を、重ね合わせた合い紙の種類に応じて調整する。これにより、定着部の加圧力を最適化して定着性能を向上させると共に、ＯＨＰシートおよび合い紙へのダメージを抑える。
【００５６】
また、合い紙の厚い方が薄いものよりも加圧力が大きくなるよう圧力調整レバー２８を揺動位置を調整する。これは、合い紙モードにおいて、ＯＨＰシートと合い紙を重ねた状態で、ＯＨＰシート上のトナーを定着させる場合、記録部を通過する合い紙の厚い方を薄いものよりも加圧力を大きくすることで、ＯＨＰシートのトナー定着性を良好にすることができる。
【００５７】
前記定着部２３０の転写紙Ｐ搬送方向下流側には、定着済の転写紙Ｐを搬送する用紙搬送パス２３１と、該用紙搬送パス２３１を経て搬送される転写紙Ｐを画像形成装置本体２００の外部に排出するための排紙ローラ２３２に導くための第１用紙搬送路２３３とが設けられている。
【００５８】
前記排紙ローラ２３２から排出された転写紙Ｐは、原稿読取部１００の下方に形成された第１排紙部２３４に排出される。この第１排紙部２３４は、図１に示すように、原稿読取部１００の下方側で、画像形成装置本体２００の画像形成部２１０の側面側、かつ用紙カセット２２１の上部側に形成された空間部に形成されている。ここでの空間部とは、原稿読取部１００の下方側で、かつ画像形成装置本体２００の外周壁に囲まれた領域を示している。
【００５９】
前記第１用紙搬送路２３３の転写紙Ｐ搬送方向上流側には、転写紙Ｐを該第１用紙搬送路２３３または後処理装置３００に通じる用紙搬送パス２３６の何れかに切り替えて導くための第１切替ゲート２３５が設けられている。この第１切替ゲート２３５は、図１に示すように、第１用紙搬送路２３３と用紙搬送パス２３６の分岐点を支点として回動自在に設けられ、転写紙Ｐを導く方向によって、一方を開放し、他方を閉塞するように動作する。
【００６０】
また、給紙搬送部２２０には、用紙搬送パス２３１に並行して用紙反転搬送路２３７が設けられている。この反転搬送路２３７は、転写紙Ｐの両面に画像を形成する両面印字時に使用される搬送路であり、転写紙Ｐは、上述した用紙搬送パス２３１の搬送方向とは反対方向に搬送され、レジストローラ２２９まで搬送される。したがって、両面印字が行われる転写紙Ｐは、片面に画像が形成されて用紙搬送パス２３１に搬送された後、上述した用紙搬送パス２３６により後処理装置３００に導かれ、該後処理装置３００においてスイッチバックされ、再び用紙搬送パス２３６を通過して反転搬送路２３７に搬送される。
【００６１】
なお、上記の例では、転写紙Ｐや合い紙を反転搬送路２３７に導く際に、後処理装置３００に一旦搬送した後、スイッチバックして反転搬送路２３７に導く例を示したが、これに限らず、転写紙Ｐを第１用紙搬送路２３３に導いた後、スイッチバックして反転搬送路２３７に導くように構成してもよい。なお、図１２は用紙カセット２２１から給紙した合い紙としての普通紙Ａを第１用紙搬送路２３３に導いた後、スイッチバックして反転搬送路２３７に導いた例を示す。
【００６２】
そして、反転搬送路２３７に搬送された転写紙Ｐは、レジストローラ２２９を介して、トナー像の転写位置に搬送され、画像形成されていない面にトナー像が転写され、定着ローラ２３により熱定着されて用紙搬送パス２３１に送り出される。
【００６３】
反転搬送路２３７は、両面印字時のみならず、合い紙モードにおいても使用される。すなわち、定着部２３０の温度が所定の温度に達するまでの間に、第２の給紙部２２１から合い紙を記録部２１３に送り、記録部で画像形成することなく通過させ、定着部２３０を通して、一旦、後処理装置３００に導かれ、該後処理装置３００においてスイッチバックされ、再び用紙搬送パス２３６を通過して反転搬送路２３７に搬送され、記録部の搬送方向で上流側に位置するレジストローラ２２９前まで予め搬送させて待機させる。
【００６４】
そして、定着部２３０の定着温度が所定温度に達したとき、ＯＨＰシートなどの記録シートを第１の給紙部２２２（手差しトレイ）から取り出し、記録シートをレジストローラ２２９前で合い紙と重ねて、これらを記録部２１３に向けて搬送し、記録シートに画像形成した後、排紙部２３４に積層載置される。
【００６５】
上記の用紙搬送パス２３１と反転搬送路２３７との分岐点には、切替ゲート２３８が設けられており、転写紙Ｐが反転搬送路２３７に搬送される場合に、用紙搬送パス２３１を閉塞するように回動して、該用紙搬送パス２３１への用紙の搬送を防止している。
【００６６】
前記後処理装置３００は、図１に示すように、画像形成装置本体２００の用紙搬送パス２３６から搬送された転写紙Ｐを第２用紙搬送路であるエスケープパス３０２または第３用紙搬送路であるステイプルトレイ３０３に導くための用紙搬送パス３０１と、前記用紙搬送パス３０１を搬送した転写紙Ｐがエスケープパス３０２またはステイプルトレイ３０３に排出するための排紙ローラ３１８とが設けられている。
【００６７】
前記エスケープパス３０２とステイプルトレイ３０３とで、転写紙Ｐを画像形成装置本体２００から用紙後処理部となる用紙スタック部４００に中継して搬送するための中継搬送路３００ａを形成している。
【００６８】
また、前記用紙搬送パス３０１により、画像形成装置本体２００からの用紙を前記中継搬送路３００ａに搬送するための用紙搬送路３００ｂを形成している。つまり、前記後処理装置３００は、中継搬送路３００ａと用紙搬送路３００ｂとで構成されていることになる。
【００６９】
前記中継搬送路３００ａは、図１に示すように、前記排紙ローラ３１８を中心にして用紙搬送路３００ｂから着脱自在にユニット化されている。すなわち、中継搬送路３００ａは、画像形成装置本体２００から着脱可能にユニット化されたものとなっている。
【００７０】
これにより、後処理装置３００を使用しない場合に、中継搬送路３００ａを取り外すことができると共に、中継搬送路３００ａを取り外してメンテナンスを行なうことができるので、装置全体のメンテナンス性の向上を図ることができる。
【００７１】
また、前記中継搬送路３００ａは、図１に示すように、前記原稿読取部１００と第１排紙部２３４である空間部との間に形成されていることになる。また、別の角度から見ると、中継搬送路３００ａは、原稿読取部１００の原稿台１０１と反対側の面（背面）に設けられているともいえる。さらに、中継搬送路３００ａは、第１排紙部２３４である空間部の上面（天井面）に形成されているともいえる。
【００７２】
上記構成によれば、画像形成装置本体２００から後処理装置３００に用紙を搬送する中継搬送路３００ａが、原稿読取部１００と画像形成装置本体２００の外周壁で囲まれた空間部との間に形成されていることから、該画像形成装置本体２００から後処理装置３００に搬送されない用紙が排出される第１排紙部２３４の上方に中継搬送路３００ａが形成されていることになる。
【００７３】
これにより、中継搬送路３００ａ内でジャムが発生した場合、該中継搬送路３３０ａの上面上に用紙が排出されることはないので、前記画像形成装置本体２００から後処理装置３００に搬送されない用紙を排出する第１排紙部２３４上に用紙が残っていても用紙を取り除かなくてもジャム処理を行なうことができる。
【００７４】
したがって、画像形成装置本体２００において形成された用紙を後処理装置３００に搬送する中継搬送路３００ａにおいて、紙詰まり等の不具合が発生した場合に迅速に、かつ容易にジャム処理が行え、これにより、装置のメンテナンス性を向上させることができる。
【００７５】
前記用紙搬送パス３０１の用紙搬送方向下流側のエスケープパス３０２とステイプルトレイ３０３との分岐点には、第２切替ゲート３０４が設けられている。この第２切替ゲート３０４は、前記分岐点を支点として回動可能に設けられており、転写紙を導く方向のゲートを開放し、反対側のゲートを閉塞するように動作する。
【００７６】
前記エスケープパス３０２は、ステイプル処理等の後処理が施されない転写紙Ｐを搬送する搬送路であり、図１に示すように、転写紙Ｐの搬送部分が原稿読取部１００の原稿台１０１とほぼ平行となるように形成されており、転写紙Ｐをほぼ水平状態（略水平状態）で後述する用紙スタック部４００に搬送するようになっている。
【００７７】
前記エスケープパス３０２の用紙搬送方向下流側には、第１排紙路３０５と第２排紙路３０６が分岐して設けられている。この第１排紙路３０５と第２排紙路３０６との分岐点には、第３切替ゲート３０７が設けられており、エスケープパス３０２を搬送する転写紙Ｐは、必要に応じて第１排紙路３０５または第２排紙路３０６の何れかに切り替えて搬送されるようになっている。
【００７８】
一方、前記ステイプルトレイ３０３は、ステイプル等の後処理が施される転写紙Ｐを搬送する搬送路であり、図１に示すように、前記エスケープパス３０２の下方で該エスケープパス３０２と略平行に形成されおり、該エスケープパス３０２と同様に転写紙Ｐを用紙スタック部４００までほぼ水平状態で搬送するようになっている。
【００７９】
また、前記ステイプルトレイ３０３では、ほぼ水平状態で転写紙Ｐをストックして整合を行い、この水平状態で整合された転写紙Ｐに対して後述するステイプルユニット３０８によりステイプル処理が施されるようになっている。
【００８０】
前記ステイプルトレイ３０３の転写紙Ｐ搬送方向下流側には、ステイプル処理を行うステイプルユニット３０８と、該ステイプルユニット３０８によりステイプル処理が施された転写紙Ｐ束を排出するための排紙ローラ３０９とが設けられている。
【００８１】
前記排紙ローラ３０９は、前記エスケープパス３０２から第３切替ゲート３０７により分岐されて第２排紙路３０６を搬送してきた転写紙Ｐを排出するようにもなっている。なお、前記排紙ローラ３０９の転写紙Ｐの搬入手前側には、転写紙Ｐの通過を検知するための用紙検知センサが設けられている。
【００８２】
後処理装置３００は、原稿読取部１００とその下方に形成された空間部との間に設けられていることで、用紙後処理の為の空間が画像形成装置の設置面上に形成されることになる。これにより、後処理装置３００を備えた画像形成装置の設置面積を小さくすることができるので、画像形成装置の設置のための自由度が大きくなる。
【００８３】
また、前記後処理装置３００では、画像形成された転写紙Ｐの整合およびステイプル処理等の後処理をほぼ水平状態で行うようになっているので、転写紙Ｐの整合とステイプル処理等の後処理を同じ位置で行うことができる。これにより、整合した転写紙Ｐ束をステイプル位置まで搬送する場合に生じる転写紙Ｐ束の変形や整合乱れをなくし、転写紙Ｐ束が整った状態でステイプル処理等の後処理を確実に行うことができる。
【００８４】
前記用紙スタック部４００は、後処理装置３００を通過した転写紙Ｐをスタックするものであり、図１に示すように、第２排紙部としての第１用紙スタックトレイ４０１と、第３排紙部としての第２用紙スタックトレイ４０２とを備えている。
【００８５】
前記第１用紙スタックトレイ４０１には、後処理装置３００のエスケープパス３０２から第１排紙路３０５を経て排出される転写紙Ｐがスタックされる。すなわち、第１用紙スタックトレイ４０１には、後処理装置３００を通過しているが、ステイプル処理等の後処理が行われなかった転写紙Ｐがスタックされる。
【００８６】
一方、第２用紙スタックトレイ４０２には、後処理装置３００のエスケープパス３０２またはステイプルトレイ３０３の何れかを経て排紙ローラ３０９から排出される転写紙Ｐがスタックされる。すなわち、第２用紙スタックトレイ４０２には、主にステイプル処理等の後処理が施された転写紙Ｐがスタックされるが、ステイプル処理等の後処理が行われなかった転写紙Ｐもスタックされる。
【００８７】
また、前記第２用紙スタックトレイ４０２は、転写紙Ｐの積載量に応じて上下動するようになっている。すなわち、転写紙Ｐの積載量が多くなれば、前記第２用紙スタックトレイ４０２は、所定の位置から下方に移動するようになる。したがって、ステイプル処理等を施さなかった転写紙Ｐを大量にスタックする必要のある時には、エスケープパス３０２から第２排紙路３０６を経て転写紙Ｐが前記第２用紙スタックトレイ４０２に排出されるようになる。
【００８８】
画像形成装置における複写機能、ＦＡＸ機能、プリント機能は、原稿読取部１００に配置された操作表示部１０における操作によって実行される。操作表示部１０は、図２に示すように、各種入力キーからなる入力部１６と、液晶ディスプレイ等の表示部１７とを有し、装置全体の操作や各種設定の入力が行われ、入力内容や装置全体の動作状況が表示される。なお、表示部１７は、タッチパネルとされ、ここから入力操作可能とされる。
【００８９】
例えば、図４に示すように、コピーモードにおいては、ＯＨＰモードと、印刷シートに表紙を付加する表紙モードとが表示され、各モードをタッチキーにより選択できるようになっている。これらのタッチキーに触れずにコピースタートボタンを押したときは、普通紙による画像形成モードを実行することができる。
【００９０】
また、図４において、ＯＨＰモードを選択した場合、図５に示すように、合い紙を設定するか否かを選択する表示画面が表示される。「合い紙」と「合い紙なし」の画面表示である。このいずれかをタッチしてＯＨＰモードを実行する。「合い紙」を選択した場合、図６に示すように、合い紙の種類、例えば、厚さによる区分として、「薄紙」「普通紙」「厚紙」が表示される。これらの種類の一つを選択してタッチキーを押せば、後述する制御部３３によって、定着部２３０の圧力調整部２５を駆動制御し、加圧ローラ２４の加圧力を調整する。
【００９１】
なお、「薄紙」「普通紙」「厚紙」の表示は、ＯＨＰモードを実行するために、予め用紙カセット２２１に収容した紙厚の種類に応じて使用者が選択することになる。また、上記の例では、特定の紙厚の合い紙を予め用紙カセットに収容しておく例を示したが、表示部に表示された、「薄紙」「普通紙」「厚紙」の紙厚表示をタッチしたときに、次に、用紙カセット２２１に選択した紙厚の合い紙を収容するよう促す表示を行うようにしてもよい。
【００９２】
さらに別の形態として、画像形成装置本体に複数（４個以上）の給紙部を備えている場合、第１給紙部にＯＨＰシートを収容し、第２給紙部ないし第４給紙部に異なる種類（薄紙、普通紙、厚紙）の合い紙をそれぞれ収容しておく。そして、ＯＨＰモードを選択したときに、第２給紙部から第４給紙部を表示部１７に表示し、表示した複数の給紙部の中から、所望の給紙部を選択できるように設定してもよい。
【００９３】
画像形成装置における複写機能、ＦＡＸ機能、プリント機能は、装置本体に設けられた制御部によって制御される。制御部３３は、一般的なマイクロコンピュータであって、内部にＣＰＵ、ＲＯＭ、ＲＡＭを有している。図３にコピーモード選択部を有する制御部の一例を示す。制御部３３の入力側には、操作表示部１０と、用紙検知センサ３４、定着温度センサ２７が接続される。制御部３３の出力側には画像形成部２１０と用紙搬送部２２０とが接続されている。
【００９４】
画像形成部２１０においては、記録部の転写チャージャ２１３と定着部２３０とが制御される。用紙搬送部２２０においては、合い紙モードのとき、合い紙を反転搬送部２３７に搬送するよう制御される。具体的には、以下の制御がなされる。
【００９５】
すなわち、制御部３３は、定着部の温度を検出する定着温度センサ２７からの検出温度に基づいて画像形成部２１０及び用紙搬送部２２０を制御する。用紙搬送部２２０の制御は、記録シート（ＯＨＰシート）と合い紙とを重ねて排紙部に排出する合い紙モード（図７参照）において、定着部２３０の温度が所定の温度に達するまでの間に反転搬送路２３７を利用して合い紙を搬送し、前記合い紙を記録部の搬送方向で上流側に位置するレジストローラ前まで予め搬送させて待機させる。そして、定着部２３０の定着温度が所定温度に達したとき、前記記録シートと合い紙とを重ねて記録部に向けて搬送する。
【００９６】
例えば、合い紙モードが選択されると、普通紙の定着温度は１８０〜１９０度であるが、ＯＨＰシートの定着温度は２００〜２１０度である。２００〜２１０度に定着ローラを上昇させる間に、用紙カセット２２１から合い紙を給送させ、両面印刷時の反転搬送路２３７を経由させてレジストローラ２２９手前まで搬送させて停止させる。定着温度が２００〜２１０度に達すると、手差しトレイからＯＨＰシートを給紙させ、レジストローラまで搬送させる。そして、合い紙とＯＨＰシートは、レジストローラの回転により、重なった状態で、記録部（転写部）に向けて搬送される。
【００９７】
画像形成部２１０の制御としては、記録部（転写部）で記録シートに画像形成する。このとき、記録部に記録シートと合い紙とを重ねて通紙するとき、合い紙に対して帯電を行う。これにより、合い紙とＯＨＰシートを重ねて搬送するとき、合い紙を帯電させることでＯＨＰシートに対する吸着力をアップすることができ、合い紙とＯＨＰシートを重ねて搬送する搬送性能を向上させることができる。
【００９８】
また、制御部３３は、合い紙モードにおいて、合い紙を反転搬送路２３７を経由してレジストローラ２２９前に待機させるため、一旦記録部を通紙させるとき、記録部で合い紙への帯電を防止するために転写チャージャ２１３（帯電部）をＯＦＦする。これにより、合い紙のみの通紙時は帯電量を抑えることによって、合い紙への汚損を低減させ、ＯＨＰシートの汚れを防止することができる。
【００９９】
定着部２３０の制御としては、合い紙モードにおいて、制御部３３は、定着ローラ２３への加圧ローラ２４の加圧力を重ね合わせた合い紙の種類に応じて調整するよう、定着部２３の圧力調整部２５を駆動制御する。そして、合い紙の厚い方が薄いものよりも加圧力を大きく設定する。これにより、ＯＨＰシートと合い紙を重ねた状態で、ＯＨＰシート上のトナーを定着させるには、厚い方が、薄いよりも加圧力を大きくすることで、ＯＨＰシートのトナー定着性を良好にすることができる。
【０１００】
次に、図９に基づいて、合い紙モードにおける制御を説明する。この説明においては、図１１〜図１５に示す画像形成装置の用紙搬送状態を随時盛り込みつつ行う。なお、図１１〜図１５では、合い紙として用紙カセット２２１からの供給される普通紙Ａを用い、記録シートとして、手差しトレイ２２２から供給されるＯＨＰシートＢを用いた例を示す。
【０１０１】
まず、ＯＨＰモードのうち合い紙モードを実行するとき、第１給紙部である手差しトレイ２２２にＯＨＰシートＢを積層載置する。一方、第２給紙部である用紙カセット２２１には、ＯＨＰシート間に挟み込む合い紙の種類に応じて、薄紙、普通紙、厚紙を収容して準備しておく。図１１〜図１５では普通紙Ａを準備した。
【０１０２】
コピーモード実行時には、図４に示すように、画像形成装置本体の表示部１７において、コピーモードを表示させ、実行するコピーモードを選択する。図４の表示例では、「ＯＨＰモード」と「表紙モード」が表示される。この例において、通常のコピーモードを実行したい場合、そのまま入力部１６のスタートキーを押せば、普通紙による画像形成モードが実行される。ＯＨＰモードを押せば、ＯＨＰモードが実行される。表紙モードを押せば表紙モードが実行される。図９のフローチャートでは、表紙モードの処理については省略している。図４に示すコピーモードにおけるキータッチ操作に基づいて、制御部３３では、通常の画像形成モードかＯＨＰモードかを判断し（Ｓ１）、通常の画像形成モードのときは、用紙カセット２２１などの給紙部から普通紙Ａを給紙し、通常の画像形成処理を行う（Ｓ２）。
【０１０３】
ＯＨＰモードが選択された場合、制御部３３では、図５に示す表示画面を表示部１７に表示させる。この表示画面は、ＯＨＰモードにおいて、合い紙の有無を選択するための表示画面である。この表示画面において、ＯＨＰモードが合い紙を設定するか否かをタッチキーにより選択させ、ユーザーが合い紙を設定する合い紙モードを選択したとき（Ｓ３：有り）、用紙カセット２２１から合い紙（普通紙Ａ）を記録部側に搬送し、記録部を通過させて、図１２の排紙部側からスイッチバックして反転搬送路２３７へ搬送し（Ｓ４）、さらに、図１３に示すように、合い紙（普通紙Ａ）を反転搬送路２３７から記録部の上流側のレジスト位置に達するまで搬送する（Ｓ５）。
【０１０４】
ところで、普通紙Ａの定着温度は１８０〜１９０度であるが、ＯＨＰシートＢの定着温度は２００〜２１０度である。そこで、ＯＨＰモードが選択された場合（Ｓ１：Ｙｅｓ）、定着部２３０の定着ローラ２３の温度が２００〜２１０度に上昇させる間に、用紙カセット２２１から合い紙（普通紙Ａ）を給紙させ、両面印刷時の反転搬送路２３７を経由させてレジストローラ２２９手前まで搬送させ、停止させる。
【０１０５】
図５において、合い紙を設定しない場合でも、定着部２３０の定着温度が２００〜２１０度に達するまで待機させ、定着温度が２００〜２１０度に達したならば、手差しトレイ２２２からＯＨＰシートＢを給紙させ、図１４に示すように、レジストローラ２２９まで搬送させる（Ｓ７）。
【０１０６】
そして、ＯＨＰシートＢがレジスト位置まで搬送されれば（Ｓ８）、ＯＨＰシートＢと合い紙（普通紙Ａ）のレジスト位置からの搬送を開始し（Ｓ９）、図１５に示すように、記録部で画像形成した後、定着部２３０で定着させ、ＯＨＰシートと合い紙とを排出完了させる（Ｓ１０）。
【０１０７】
なお、図１１は合い紙モードにおいて合い紙（普通紙）を記録部側へ通紙している状態を示し、図１２は合い紙を反転搬送路にスイッチバックさせた状態を示し、図１３は合い紙を反転搬送路を経由してレジストローラ２２９前に待機した状態を示す。図１４はＯＨＰシートをレジストローラ２２９前まで搬送した状態を示し、図１５は合い紙とＯＨＰシートとを同時に記録部に搬送している状態を示している。
【０１０８】
このように、ＯＨＰモードにおいて合い紙モードを選択すると、定着部２３０の定着温度がＯＨＰシート用の定着温度に達するまでの間に、予め、合い紙を反転搬送路２３７を利用して記録部の上流側に位置するレジスト位置まで搬送し、ＯＨＰシートの定着温度に達したならば、記録部に向かってＯＨＰシートと合い紙とを同時に搬送させているので、印刷ジョブの時間短縮を図ることができる。
【０１０９】
図１０は従来のＯＨＰモードにおける印刷ジョブ時間と本実施形態による印刷ジョブ時間とを比較したものである。図１０に示すように、本実施形態では、合い紙の通紙に掛かる時間を余分に取る必要がなく、印刷ジョブを効率よく行うことができる。
【０１１０】
なお、ＯＨＰモードでの印刷ジョブにおいては、予め用紙カセット２２１に合い紙として使いたい用紙（薄紙、普通紙、厚紙のいずれか）をセットし、表示部１７で選択する。
【０１１１】
制御部３３では、表示部１７のタッチキーによって選択された合い紙の種類(厚み)によって、定着部２３０の圧力調整部２５を駆動制御して、定着ローラ２３に対して加圧ローラ２４を移動し、圧力調整を行なう。
【０１１２】
定着部２３０の圧力調整動作は、モータ３１を回転駆動させて、ギヤ付カム３０を回転させることで、カム３０が圧力調整レバー２８に当接しながら、圧力調整レバー２８の端部の支点２８ａを中心に圧力調整レバー２８が揺動する。圧力調整レバー２８は、加圧ローラ２４の軸２４ａを受ける軸受を兼ねているので、加圧ローラ２４は定着ローラ２３に対して接圧力を可変とする。用紙の種類（厚み）により、定着ローラ２３に対して加圧ローラ２４を移動させることで、定着ローラ２３との接圧力を調整することができる。
【０１１３】
例えば、「厚紙」の場合は「普通紙」の場合の圧力よりも高くする。「薄紙」の場合は「普通紙」の場合の圧力よりも低くする。これにより、ＯＨＰシートと合い紙を重ねた状態で、ＯＨＰシート上のトナーを定着させるには、厚い方が薄いものよりも加圧力を大きくすることで、ＯＨＰシートのトナー定着性を良好にすることができる。
【０１１４】
なお、本発明は、上記実施形態に限定されるものではなく、本発明の範囲内で多くの修正・変更を加えることができるのは勿論である。例えば、上記実施形態では、ＯＨＰシートの定着温度に達するまでに、合い紙を反転搬送路２３７を利用してレジスト位置まで搬送させて待機させる例を示したが、記録シートとしてはＯＨＰシートに限るものではなく、要するに、合い紙を重ねて搬送し記録シートに記録する態様の重ね合わせシートの画像形成において、定着部が所定の温度に達する前に合い紙をレジスト位置まで搬送すればよい。
【符号の説明】
【０１１５】
１００    原稿読取部
２００    画像形成装置本体
２１０    画像形成部
２２０    給紙搬送部
２２１    用紙カセット
２２２    手差しトレイ
２２３    呼び込みローラ
２２４    ピックアップローラ
２２５    第２給紙路
２２６    呼び込みローラ
２２７    ピックアップローラ
２２８    第１給紙路
２２９    レジストローラ
２３０    定着部
２３１    用紙搬送パス
２３２    排紙ローラ
２３３    第１用紙搬送路
２３４    第１排紙部
２３５    第１切替ゲート
２３６    用紙搬送パス
２３７    反転搬送路
２３８    切替ゲート
３００    後処理装置
３０１    用紙搬送パス
３０２    エスケープパス
３０３    ステイプルトレイ
３０４    第２切替ゲート
３０５    第１排紙路
３０６    第２排紙路
３０７    第３切替ゲート
３０８    ステイプルユニット
３０９    排紙ローラ
３１８    排紙ローラ
４００    用紙スタック部
４０１    第１用紙スタックトレイ
４０２    第２用紙スタックトレイ
【図１】
2010281879.tif 000003
【図２】
2010281879.tif 000004
【図３】
2010281879.tif 000005
【図４】
2010281879.tif 000006
【図５】
2010281879.tif 000007
【図６】
2010281879.tif 000008
【図７】
2010281879.tif 000009
【図８】
2010281879.tif 000010
【図９】
2010281879.tif 000011
【図１０】
2010281879.tif 000012
【図１１】
2010281879.tif 000013
【図１２】
2010281879.tif 000014
【図１３】
2010281879.tif 000015
【図１４】
2010281879.tif 000016
【図１５】
2010281879.tif 000017